(57)【要約】      （修正有）【課題】画像の出力処理を実行するシステムに画像を登録しようとする際に、１つの画像を登録する場合でも複数の画像を登録する場合でも一律に画像の出力に関する設定の変更を可能とした場合と比較して、利用者が設定したと認識している設定内容と、実際の設定内容とが異なるものとなってしまう可能性を低減する情報処理装置及びプログラムを提供する。【解決手段】画像選択受付部３１は、制御部３０による制御に基づいて、ネットプリントサーバ１６に登録する写真の選択を受け付ける。変更受付部３２は、制御部による制御に基づいて、画像選択受付部において選択されている写真の枚数に応じて、選択された写真をプリントする際の出力に関する設定の変更を受け付ける。制御部は、画像選択受付部において１つの写真のみが選択されている場合、設定の変更を受け付け、複数の写真が選択されている場合、設定の変更を受け付けないように変更受付部を制御する。【選択図】図３
2020047185.tif 000002
【特許請求の範囲】
【請求項１】
画像の出力処理を実行するシステムに登録する画像の選択を受け付ける画像選択受付手段と、
前記画像選択受付手段を介して選択された画像の出力に関する設定の変更を受け付ける変更受付手段と、
前記画像選択受付手段において１つの画像のみが選択されている場合、選択された当該画像を出力する際の出力に関する設定の変更を受け付け、前記画像選択受付手段において複数の画像が選択されている場合、選択された当該複数の画像を出力する際の出力に関する設定の変更を受け付けないように前記変更受付手段を制御する制御手段と、
を備えた情報処理装置。
【請求項２】
前記制御手段は、前記画像選択受付手段において１つの画像のみが選択された状態で、前記変更受付手段により画像の出力に関する設定の変更が受け付けられた後に、前記画像選択受付手段により複数の画像の選択が受け付けられた場合、前記変更受付手段を介して変更された画像の出力に関する設定を、変更前の初期状態に戻す旨の警告を表示部に表示するよう制御する請求項１記載の情報処理装置。
【請求項３】
前記制御手段は、変更された画像の出力に関する設定を変更前の初期状態に戻す旨の警告を、利用者による操作が行われるまで前記表示部に表示し続けるよう制御する請求項２記載の情報処理装置。
【請求項４】
前記制御手段は、前記画像選択受付手段において複数の画像が選択された場合、前記変更受付手段による画像の出力に関する設定の変更を受け付けない旨の警告を表示部に表示するよう制御する請求項１記載の情報処理装置。
【請求項５】
前記制御手段は、画像の出力に関する設定の変更を受け付けない旨の警告が、前記表示部に表示されてから予め設定された時間経過後に前記表示部から表示されなくなるように制御する請求項４記載の情報処理装置。
【請求項６】
前記制御手段は、前記画像選択受付手段において複数の画像が選択されている場合であっても、一定の条件が満たされた場合に、選択された当該複数の画像を出力する際の出力に関する設定の変更を受け付けるように前記変更受付手段を制御する請求項１記載の情報処理装置。
【請求項７】
前記一定の条件が満たされた場合とは、前記画像選択受付手段により複数の画像が選択された状態で、設定の変更対象である画像と、設定の変更対象でない画像とが、表示部上で識別可能な場合である請求項６記載の情報処理装置。
【請求項８】
前記制御手段は、前記画像選択受付手段により複数の画像の選択が受付けられた状態で、前記複数の画像のうちの選択された特定の１つの画像が表示部において他の画像よりも大きく表示されるよう制御する請求項１から７のいずれか記載の情報処理装置。
【請求項９】
画像の出力処理を実行するシステムに登録する画像の選択を受け付ける画像選択受付ステップと、
前記画像選択受付ステップにおいて選択された画像の出力に関する設定の変更を受け付ける変更受付ステップと、
前記画像選択受付ステップにおいて１つの画像のみが選択されている場合、選択された当該画像を出力する際の出力に関する設定の変更を受け付け、前記画像選択受付ステップにおいて複数の画像が選択されている場合、選択された当該複数の画像を出力する際の出力に関する設定の変更を受け付けないように制御する制御ステップと、
をコンピュータに実行させるためのプログラム。
【発明の詳細な説明】
【技術分野】
【０００１】
本発明は、情報処理装置およびプログラムに関する。
【背景技術】
【０００２】
特許文献１には、記録媒体に記録された複数の画像データファイルを読み出すための読み出し部と、受け付けた注文対象画像の画素数が、指定されたプリントサイズの写真プリントの作成に適するか否かを判断する判断手段と、受け付けた注文対象画像であり、且つ、判断手段においてプリントサイズの写真プリントの作成に適さないと判断された画素数を有する画像をプリントサイズの領域内に複数配置する画像配置手段と、画像配置手段によって配置された複数の画像に係る画像データファイルを合成し、プリントサイズに対応した合成画像データを作成する合成画像データ作成手段とを備えていることを特徴とするプリントシステムが開示されている。
【先行技術文献】
【特許文献】
【０００３】
【特許文献１】特開２００６−３１０９５６号公報
【発明の概要】
【発明が解決しようとする課題】
【０００４】
本発明の目的は、画像の出力処理を実行するシステムに画像を登録しようとする際に、１つの画像を登録する場合でも複数の画像を登録する場合でも一律に画像の出力に関する設定の変更を可能とした場合と比較して、利用者が設定したと認識している設定内容と、実際の設定内容とが異なるものとなってしまう可能性を低減することが可能な情報処理装置およびプログラムを提供することである。
【課題を解決するための手段】
【０００５】
［情報処理装置］
請求項１に係る本発明は、画像の出力処理を実行するシステムに登録する画像の選択を受け付ける画像選択受付手段と、前記画像選択受付手段を介して選択された画像の出力に関する設定の変更を受け付ける変更受付手段と、前記画像選択受付手段において１つの画像のみが選択されている場合、選択された当該画像を出力する際の出力に関する設定の変更を受け付け、前記画像選択受付手段において複数の画像が選択されている場合、選択された当該複数の画像を出力する際の出力に関する設定の変更を受け付けないように前記変更受付手段を制御する制御手段と、を備えた情報処理装置である。
【０００６】
請求項２に係る本発明は、前記制御手段は、前記画像選択受付手段において１つの画像のみが選択された状態で、前記変更受付手段により画像の出力に関する設定の変更が受け付けられた後に、前記画像選択受付手段により複数の画像の選択が受け付けられた場合、前記変更受付手段を介して変更された画像の出力に関する設定を、変更前の初期状態に戻す旨の警告を表示部に表示するよう制御する請求項１記載の情報処理装置である。
【０００７】
請求項３に係る本発明は、前記制御手段は、変更された画像の出力に関する設定を変更前の初期状態に戻す旨の警告を、利用者による操作が行われるまで前記表示部に表示し続けるよう制御する請求項２記載の情報処理装置である。
【０００８】
請求項４に係る本発明は、前記制御手段は、前記画像選択受付手段において複数の画像が選択された場合、前記変更受付手段による画像の出力に関する設定の変更を受け付けない旨の警告を表示部に表示するよう制御する請求項１記載の情報処理装置である。
【０００９】
請求項５に係る本発明は、前記制御手段は、画像の出力に関する設定の変更を受け付けない旨の警告が、前記表示部に表示されてから予め設定された時間経過後に前記表示部から表示されなくなるように制御する請求項４記載の情報処理装置である。
【００１０】
請求項６に係る本発明は、前記制御手段は、前記画像選択受付手段において複数の画像が選択されている場合であっても、一定の条件が満たされた場合に、選択された当該複数の画像を出力する際の出力に関する設定の変更を受け付けるように前記変更受付手段を制御する請求項１記載の情報処理装置である。
【００１１】
請求項７に係る本発明は、前記一定の条件が満たされた場合とは、前記画像選択受付手段により複数の画像が選択された状態で、設定の変更対象である画像と、設定の変更対象でない画像とが、表示部上で識別可能な場合である請求項６記載の情報処理装置である。
【００１２】
請求項８に係る本発明は、前記制御手段は、前記画像選択受付手段により複数の画像の選択が受付けられた状態で、前記複数の画像のうちの選択された特定の１つの画像が表示部において他の画像よりも大きく表示されるよう制御する請求項１から７のいずれか記載の情報処理装置である。
【００１３】
[プログラム]
請求項９に係る本発明は、画像の出力処理を実行するシステムに登録する画像の選択を受け付ける画像選択受付ステップと、前記画像選択受付ステップにおいて選択された画像の出力に関する設定の変更を受け付ける変更受付ステップと、前記画像選択受付ステップにおいて１つの画像のみが選択されている場合、選択された当該画像を出力する際の出力に関する設定の変更を受け付け、前記画像選択受付ステップにおいて複数の画像が選択されている場合、選択された当該複数の画像を出力する際の出力に関する設定の変更を受け付けないように制御する制御ステップと、をコンピュータに実行させるためのプログラムである。
【発明の効果】
【００１４】
請求項１に係る本発明によれば、画像の出力処理を実行するシステムに画像を登録しようとする際に、１つの画像を登録する場合でも複数の画像を登録する場合でも一律に画像の出力に関する設定の変更を可能とした場合と比較して、利用者が設定したと認識している設定内容と、実際の設定内容とが異なるものとなってしまう可能性を低減することが可能な情報処理装置を提供することができる。
【００１５】
請求項２に係る本発明によれば、画像の出力処理を実行するシステムに画像を登録しようとする際に、１つの画像を登録する場合でも複数の画像を登録する場合でも一律に画像の出力に関する設定の変更を可能とした場合と比較して、利用者が設定したと認識している設定内容と、実際の設定内容とが異なるものとなってしまう可能性を低減することが可能な情報処理装置を提供することができる。
【００１６】
請求項３に係る本発明によれば、所定時間経過後に警告が表示されなくなるようにする場合と比較して、利用者が設定したと認識している設定内容と、実際の設定内容とが異なるものとなってしまう可能性を低減することが可能な情報処理装置を提供することができる。
【００１７】
請求項４に係る本発明によれば、画像の出力処理を実行するシステムに画像を登録しようとする際に、１つの画像を登録する場合でも複数の画像を登録する場合でも一律に画像の出力に関する設定の変更を可能とした場合と比較して、利用者が設定したと認識している設定内容と、実際の設定内容とが異なるものとなってしまう可能性を低減することが可能な情報処理装置を提供することができる。
【００１８】
請求項５に係る本発明によれば、利用者による操作が行われるまで警告を表示し続ける場合と比較して、利用者が設定したと認識している設定内容と、実際の設定内容とが異なるものとなってしまう可能性を低減しつつ、利用者の操作を少なくすることができる情報処理装置を提供することができる。
【００１９】
請求項６に係る本発明によれば、画像の出力処理を実行するシステムに画像を登録しようとする際に、１つの画像を登録する場合でも複数の画像を登録する場合でも一律に画像の出力に関する設定の変更を可能とした場合と比較して、利用者が設定したと認識している設定内容と、実際の設定内容とが異なるものとなってしまう可能性を低減することが可能な情報処理装置を提供することができる。
【００２０】
請求項７に係る本発明によれば、利用者が設定したと認識している設定内容と、実際の設定内容とが異なるものとなってしまう可能性を低減しつつ、利用者が、複数の画像のそれぞれの画像に対して、画像の出力に関する設定の変更をすることが可能な情報処理装置を提供することができる。
【００２１】
請求項８に係る本発明によれば、画像の出力処理を実行するシステムに画像を登録しようとする際に、１つの画像を登録する場合でも複数の画像を登録する場合でも一律に画像の出力に関する設定の変更を可能とした場合と比較して、利用者が設定したと認識している設定内容と、実際の設定内容とが異なるものとなってしまう可能性を低減することが可能な情報処理装置を提供することができる。
【００２２】
請求項９に係る本発明によれば、画像の出力処理を実行するシステムに画像を登録しようとする際に、１つの画像を登録する場合でも複数の画像を登録する場合でも一律に画像の出力に関する設定の変更を可能とした場合と比較して、利用者が設定したと認識している設定内容と、実際の設定内容とが異なるものとなってしまう可能性を低減することが可能なプログラムを提供することができる。
【図面の簡単な説明】
【００２３】
【図１】本発明の一実施形態のネットプリントシステムのシステム構成を示す図である。
【図２】本発明の一実施形態における端末装置１０のハードウェア構成を示すブロック図である。
【図３】本発明の一実施形態における端末装置１０の機能構成を示すブロック図である。
【図４】本発明の一実施形態における端末装置１０の操作画面の表示画面例である。
【図５】本発明の一実施形態の端末装置１０により行われる具体的な操作説明の一例を示す表示画面例である。
【図６】本発明の一実施形態の端末装置１０により行われる具体的な操作説明の一例を示す表示画面例である。
【図７】本発明の一実施形態の端末装置１０により行われる具体的な操作説明の一例を示す表示画面例である。
【図８】本発明の一実施形態の端末装置１０により行われる具体的な操作説明の一例を示す表示画面例である。
【図９】本発明の一実施形態の端末装置１０により行われる具体的な操作説明の一例を示す表示画面例である。
【図１０】本発明の一実施形態の端末装置１０により行われる具体的な操作説明の一例を示す表示画面例である。
【図１１】本発明の一実施形態の端末装置１０により行われる具体的な操作説明の一例を示す表示画面例である。
【発明を実施するための形態】
【００２４】
次に、本発明の実施の形態について図面を参照して詳細に説明する。
【００２５】
図１は本発明の一実施形態のネットプリントシステムの構成を示す図である。
【００２６】
本実施形態のネットプリントシステムでは、スマートフォン、タブレット端末等の端末装置１０を用いて、インターネット経由でネットプリントサーバ１６に出力対象の画像である写真を登録し、コンビニエンスストア等に設置された画像形成装置１２からそのネットプリントサーバ１６にアクセスして、登録した写真をダウンロードし、写真プリント、ファクシミリ、コピー等の出力処理を実行して各種サービスを利用することができるようにされているものである。なお、画像形成装置１２は、印刷（プリント）機能、スキャン機能、複写（コピー）機能、ファクシミリ機能等の複数の機能を有するいわゆる複合機と呼ばれる装置である。
【００２７】
また、以下の説明では、端末装置１０がスマートフォンの場合を用いて説明する。そして、この端末装置１０に、写真のプリント処理等の画像の出力処理を実行するためのアプリケーションソフト（以下、プリントアプリと略す。）がダウンロードされることにより、画像形成装置１２により写真のプリント等の出力処理を実行する機能が実現される。
【００２８】
本発明の一実施形態のネットプリントシステムは、図１に示されるように、画像形成装置１２と、無線ＬＡＮターミナル１４と、ユーザに対してネットプリントサービスを提供するネットプリントサーバ１６とがインターネット１８により接続されている。
【００２９】
端末装置１０は、無線ＬＡＮターミナル１４との間で無線回線により接続されることにより、ネットプリントサーバ１６と接続される。
【００３０】
次に、本実施形態のネットプリントシステムにおける端末装置１０のハードウェア構成を図２に示す。
【００３１】
端末装置１０は、図２に示されるように、ＣＰＵ２１、メモリ２２、フラッシュメモリ等の記憶装置２３、タッチパネル等のユーザインタフェース（ＵＩ）装置２４、カメラ２５、無線ＬＡＮターミナル１４との間で無線回線を介してデータの送信及び受信を行う通信インタフェース（ＩＦ）２６を有する。これらの構成要素は、制御バス２７を介して互いに接続されている。
【００３２】
ＣＰＵ２１は、メモリ２２または記憶装置２３に格納された制御プログラムに基づいて所定の処理を実行して、端末装置１０の動作を制御する。なお、本実施形態では、ＣＰＵ２１は、メモリ２２または記憶装置２３内に格納された制御プログラムを読み出して実行するものとして説明したが、当該プログラムをＳＤカード等の記憶媒体に格納してＣＰＵ２１に提供することも可能である。
【００３３】
図３は、上記のプリントアプリの制御プログラムが実行されることにより実現される端末装置１０の機能構成を示すブロック図である。
【００３４】
本実施形態の端末装置１０は、図３に示されるように、制御部３０と、画像選択受付部３１と、変更受付部３２と、データ送受信部３３と、表示部３４と、撮像部３５と、データ格納部３６と、を備えている。
【００３５】
データ送受信部３３は、制御部３０による制御に基づいて、ネットプリントサーバ１６との間でデータの送受信を行う。
【００３６】
撮像部３５は、制御部３０による制御に基づいて、実空間を撮像する撮像手段として機能する。
【００３７】
データ格納部３６は、制御部３０による制御に基づいて、撮像部３５により撮像した写真等の各種データを格納する。
【００３８】
表示部３４は、制御部３０による制御に基づいて、写真等の各種データや操作画面を表示する表示手段として機能する。
【００３９】
画像選択受付部３１は、制御部３０による制御に基づいて、ネットプリントサーバ１６に登録する写真の選択を受け付ける。
【００４０】
制御部３０は、画像選択受付部３１により写真の選択が受付けられた場合に、操作画面上に選択された写真を表示するように制御する。
【００４１】
また、制御部３０は、画像選択受付部３１により１つ又は複数の写真の選択が受付けられた場合に、１つ又は複数の写真の選択が受付けられた状態で、１つ又は複数の写真のうちの選択された特定の１つの写真が表示部３４においてプレビュー表示されるよう制御する。
【００４２】
変更受付部３２は、制御部３０による制御に基づいて、特定の１つの写真がプレビュー表示された状態で、画像選択受付部３１を介して選択された写真をプリントする際の出力に関する設定の変更を受け付ける。
【００４３】
また、変更受付部３２は、制御部３０による制御に基づいて、画像選択受付部３１において選択されている写真の枚数に応じて、選択された写真をプリントする際の出力に関する設定の変更を受け付ける。
【００４４】
具体的には、制御部３０は、画像選択受付部３１において１つの写真のみが選択されている場合、選択された写真をプリントする際の出力に関する設定の変更を受け付けるように変更受付部３２を制御する。
【００４５】
また、制御部３０は、画像選択受付部３１において複数の写真が選択されている場合、選択された複数の写真をプリントする際の出力に関する設定の変更を受け付けないように変更受付部３２を制御する。
【００４６】
具体的には、制御部３０は、画像選択受付部３１において複数の写真が選択されている場合に、例えば用紙サイズやカラーモード等の写真をプリントする際の出力に関する設定を変更する設定項目の設定ボタンをグレーアウトして表示し、設定の変更を受け付けないように変更受付部３２を制御する。
【００４７】
また、制御部３０は、画像選択受付部３１において複数の写真が選択されている場合に、例えば後述する図４に示すような「ちょっと小さめ」等の写真をプリントする際の出力に関する設定の変更を受け付けない設定項目を表示しないように表示部３４を制御する。
【００４８】
また、制御部３０は、画像選択受付部３１において１つの写真のみが選択された状態で、変更受付部３２により写真のプリント設定等の出力に関する設定の変更が受け付けられた後に、画像選択受付部３１により複数の写真の選択が受け付けられた場合、変更受付部３２を介して変更された設定を、変更前の初期状態に戻す旨の警告を表示部３４に表示するよう制御する。制御部３０は、この警告を、ユーザによる操作が行われるまで表示部３４に表示され続けるよう制御する。さらに、制御部３０は、パノラマ写真のように、選択された写真が初期状態のフォト用紙Ｌのサイズの縦横比に合っていない場合には、写真の中央部を抽出し、印刷範囲とするよう制御する。
【００４９】
また、制御部３０は、画像選択受付部３１において複数の写真が選択された場合、変更受付部３２による写真のプリント設定等の出力に関する設定の変更を受け付けない旨の警告を表示部３４に表示するよう制御する。制御部３０は、この警告を、表示部３４に表示されてから予め設定された時間経過後であって、例えば３秒経過後に表示部３４から表示されなくなるように制御する。
【００５０】
次に、本実施形態の端末装置１０により行われる具体的な操作説明の一例を図４〜図１１を参照して説明する。
【００５１】
先ず、端末装置１０にインストールされたプリントアプリが起動され、１つの写真が選択された場合のプリント設定画面の一例を図４に示す。
【００５２】
この図４に示された操作画面の上側のスペース３９には、プリント処理を実行する写真と、このプリント処理を実行する写真を縮小したサムネイル画像と、２枚目以降の写真を登録する追加ボタン４４が表示されている。また、操作画面の下側には、「用紙サイズ」、「カラーモード」、「ちょっと小さめ」、「暗号番号を設定」等の設定項目と、これらの設定項目に対してそれぞれ設定を変更する設定ボタン４０〜４２が表示されている。ここで、「ちょっと小さめ」の設定項目は、プリント時に写真の縁が欠けてしまうのを防止するため、写真を設定されたサイズよりも少し縮小してプリントする場合に用いる。また、サムネイル画像とは、写真等の画像を視認性を高めるために縮小させた画像をいう。
【００５３】
なお、各設定項目の初期設定（初期状態）は、用紙サイズを「フォト用紙Ｌ」、カラーモードを「カラー」、ちょっと小さめを「オン」とする。
【００５４】
つまり、図４に示されているように、画像選択受付部３１において１つの写真のみが選択されている場合、制御部３０は、選択された写真をプリントする際の用紙サイズやカラーモード等の設定項目の設定の変更を受け付けるように変更受付部３２を制御する。
【００５５】
つまり、初期状態から設定を変更したい設定項目の設定ボタン４０〜４２が押下（タッチ）されて選択されることにより、各設定が変更される。そして、登録ボタン４３がタッチされると、タッチした時点のプリント設定に関する設定情報がネットプリントサーバ１６に送信されてネットプリントサーバ１６に設定登録がなされるようになっている。また、端末装置１０の操作画面には「有効期限」が表示されており、この有効期限が、ネットプリントサーバ１６に保存される保存期限とされる。
【００５６】
具体的には、用紙サイズの設定を変更したい場合には、設定ボタン４０をタッチすることにより、図５（Ａ）に示すような用紙サイズの変更選択画面が表示される。そして、例えば「普通紙Ａ４」が選択されると、図５（Ｂ）に示すように、用紙サイズの設定が初期状態の「フォト用紙Ｌ」から「普通紙Ａ４」に変更される。同様に、カラーモードの設定ボタン４１をタッチすることにより、カラーモードの変更選択画面が表示され、ユーザの選択によりカラーモードの設定を変更することができる。そして、登録ボタン４３がタッチされると、タッチされた時点の設定情報がネットプリントサーバ１６に送信されて、ネットプリントサーバ１６に登録されて保存される。このとき、ネットプリントサーバ１６から端末装置１０に予約番号が送信される。
【００５７】
そして、コンビニエンスストア等に設置された画像形成装置１２からそのネットプリントサーバ１６に予約番号を用いてアクセスすることにより、登録した写真をダウンロードし、写真プリントを実行することができる。
【００５８】
次に、写真をプリント際の出力に関する設定の変更を行った後に、追加ボタン４４がタッチされた場合の操作画面の動作について、図６（Ａ）及び図６（Ｂ）に基づいて説明する。
【００５９】
端末装置１０の操作画面において、追加ボタン４４がタッチされることにより複数の写真が選択されて、複数の写真をネットプリントサーバ１６に設定登録することができる。
【００６０】
しかし、写真をプリントする際の出力に関する設定の変更を行った後に、追加ボタン４４がタッチされて写真が追加された場合には、各設定項目の設定は、それぞれ上述した初期状態に戻る。具体的には、上述した図５（Ａ）及び図５（Ｂ）に示すように、１つの写真が選択された状態で、用紙サイズが「普通紙Ａ４」に変更された後に、図６（Ａ）に示すように、追加ボタン４４がタッチされて写真が追加された場合には、図６（Ｂ）に示すような、変更された用紙サイズに関する設定を、変更前の初期状態である「フォト用紙Ｌ」に戻す旨の警告が表示部３４に表示される。
【００６１】
そして、ユーザによりＯＫボタンがタッチされると、用紙サイズに関する設定が初期状態の「フォト用紙Ｌ」に戻り、追加ボタン４４がタッチされることにより２枚目以降の写真の選択が可能となり、登録ボタン４３がタッチされると、タッチされた時点の設定情報がネットプリントサーバ１６に送信されて、ネットプリントサーバ１６に登録されて保存される。そして、コンビニエンスストア等に設置された画像形成装置１２からそのネットプリントサーバ１６に予約番号を用いてアクセスすることにより、登録した複数の写真をダウンロードし、写真プリントを実行することができる。
【００６２】
次に、端末装置１０の操作画面において、１つのパノラマ写真が選択されて、用紙サイズが初期状態からパノラマサイズに変更された後に、追加ボタン４４がタッチされた場合の操作画面の動作について、図７及び図８に基づいて説明する。
【００６３】
画像選択受付部３１により選択された写真がパノラマ写真の場合には、選択された写真の属性情報により、用紙サイズの変更選択画面に「パノラマ」サイズが含まれて表示される。そして、図７に示すようにパノラマサイズが選択されて用紙サイズの設定の変更を行った後に、追加ボタン４４がタッチされると、図８に示すように、パノラマ写真の中央部を抽出して印刷範囲とし、変更されたパノラマサイズの設定を、変更前の初期状態である「フォト用紙Ｌ」に戻す旨の警告が表示部３４に表示される。
【００６４】
つまり、制御部３０は、パノラマ写真のように、選択された写真が初期状態のフォト用紙Ｌのサイズの縦横比に合っていない場合には、写真の中央部を抽出し、印刷範囲とするよう制御する。なお、パノラマ写真の印刷範囲は、ユーザがプレビュー画面上で変更することができる。
【００６５】
そして、ユーザによりＯＫボタンがタッチされると、用紙サイズに関する設定が初期状態の「フォト用紙Ｌ」に戻り、追加ボタン４４がタッチされることにより２枚目以降の写真の選択が可能となり、登録ボタン４３がタッチされると、タッチされた時点の設定情報がネットプリントサーバ１６に送信されて、ネットプリントサーバ１６に登録されて保存される。そして、コンビニエンスストア等に設置された画像形成装置１２からそのネットプリントサーバ１６に予約番号を用いてアクセスすることにより、登録した複数の写真をダウンロードし、写真プリントを実行することができる。
【００６６】
次に、端末装置１０にインストールされたプリントアプリが起動され、複数の写真が追加ボタン４４により選択された場合のプリント設定画面の一例を図９に示す。
【００６７】
この図９に示された操作画面の上側のスペース３９には、プレビュー表示された写真と、このプレビュー表示された写真を縮小したサムネイル画像を含む複数のサムネイル画像と、追加ボタン４４が表示されている。複数のサムネイル画像のうち選択されているサムネイル画像の写真が、拡大されてプレビュー表示されている。また、プレビュー表示されている写真を左右にスワイプすることで、サムネイル画像をプレビュー表示させてページ送りすることができるように構成されている。ここで、スワイプとは、画面に触れた状態で指を滑らせる操作である。
【００６８】
つまり、制御部３０は、画像選択受付部３１により複数の写真の選択が受付けられた場合に、複数の写真の選択が受付けられた状態で、複数の写真のうちの選択された特定の１つの写真が表示部３４において他の写真よりも大きく表示（プレビュー表示）されるよう制御する。
【００６９】
また、操作画面の下側には、「用紙サイズ」、「カラーモード」、「暗号番号を設定」等の設定項目と、これらの設定項目に対してそれぞれ設定を変更する設定ボタン４０，４１が表示されている。このとき、設定ボタン４０，４１は、非活性にグレーアウトして表示され、設定の変更を受け付けないようにされている。
【００７０】
つまり、複数の写真が選択されている場合には、制御部３０は、用紙サイズの設定の変更を受け付けずに、設定ボタン４０を選択できないように変更受付部３２を制御する。また、複数の写真が選択されている場合には、制御部３０は、カラーモードの設定の変更を受け付けずに、設定ボタン４１を選択できないように変更受付部３２を制御する。また、複数の写真が選択されている場合には、制御部３０は、図４に示すような、１枚の写真のみが選択されている場合に操作画面に表示される「ちょっと小さめ」の設定項目を表示しないように制御する。
【００７１】
具体的には、複数の写真が選択されている場合には、プリント設定は上述した初期状態にされ、用紙サイズは「フォト用紙Ｌ」、カラーモードは「カラー」、ちょっと小さめ「オン」に固定される。そして、これらの設定を変更できないことがユーザが認識可能なように、設定ボタン４０、４１が非活性にグレーアウトして表示される。また、ちょっと小さめの設定項目は表示されない。
【００７２】
そして、図１０（Ａ）に示すように、複数の写真が選択された状態で、用紙サイズの設定ボタン４０がタッチされた場合には、図１０（Ｂ）に示すような用紙サイズの設定の変更を受け付けない旨の警告が、表示部３４に表示される。また、図１１（Ａ）に示すように、複数の写真が選択され、用紙サイズが「フォト用紙Ｌ」の状態で、カラーモードの設定ボタン４１がタッチされた場合には、図１１（Ｂ）に示すようなカラーモードの設定の変更を受け付けない旨の警告が、表示部３４に表示される。制御部３０は、これらの警告を、表示部３４に表示されてから予め設定された時間経過後であって、例えば３秒経過後に表示されなくなるように制御する。
【００７３】
そして、登録ボタン４３がタッチされることにより、写真をプリントする際の出力に関する設定が初期状態の設定情報がネットプリントサーバ１６に送信されて、ネットプリントサーバ１６に登録されて保存される。このとき、ネットプリントサーバ１６から端末装置１０に予約番号が送信される。
【００７４】
そして、コンビニエンスストア等に設置された画像形成装置１２からそのネットプリントサーバ１６に予約番号を用いてアクセスすることにより、登録した複数の写真をダウンロードし、写真プリントを実行することができる。
【００７５】
[変形例]
上記実施形態では、情報処理装置としてスマートフォン等の端末装置に対して本発明を適用した場合を用いて説明したが、本発明はこれに限定されるものではなく、タブレット端末装置、パーソナルコンピュータ等のスマートフォン等の端末装置よりも表示部３４のサイズが大きい他の情報処理装置に対しても同様に本発明を適用することができるものである。
【００７６】
また、上記実施形態では、複数の写真が選択されている場合には、用紙サイズやカラーモードの設定ボタン４０，４１をグレーアウトして表示し、設定ボタン４０，４１がタッチされた場合に設定の変更を受け付けない旨の警告を表示する例について説明したが、本発明はこれに限定されるものではなく、用紙サイズやカラーモードの設定項目を表示しないようにしてもよい。
【００７７】
また、上記実施形態では、複数の写真が選択された場合に、制御部３０が写真のプリント等の設定の変更を受け付けないように変更受付部３２を制御する例について説明したが、本発明はこれに限定されるものではなく、複数の写真が選択されている場合であっても、画像選択受付部３１により複数の写真が選択された状態で、設定の変更対象である写真と、設定の変更対象でない写真とが、表示部３４上で識別可能な場合には、選択された写真のプリント等の設定の変更を受け付けるように変更受付部３２を制御するようにしてもよい。
【００７８】
このとき、制御部３０は、選択された写真に付加された属性情報や、表示部３４の画像サイズに関する情報等を取得して、選択された写真のプリント等の設定の変更を受け付ける又は受け付けないように変更受付部３２を制御する。
【００７９】
具体的には、例えば、複数の写真のうち特定の写真のカラーモードの設定を「カラー」から「白黒」に変更したい場合に、設定の変更対象である写真と、設定の変更対象でない写真とを、プレビュー表示の大きさ、表示部３４の操作画面の大きさ等により、ユーザが表示部３４上で識別可能な場合には、設定の変更対象である写真のみを「白黒」の設定に変更することができる。
【００８０】
この場合、表示部３４において、設定の変更対象である特定の１つの写真が他の写真よりも大きくプレビュー表示された状態で、変更受付部３２は、画像選択受付部３１を介して選択された写真を「白黒」に出力する設定の変更を受け付ける。
【００８１】
また、例えば、複数の写真のうち特定の写真に日付等のメタ情報を追加したい場合に、追加対象である日付入りの写真と、追加対象でない日付入りでない写真とを、プレビュー表示の大きさ、表示部３４の操作画面の大きさ等により、ユーザが表示部３４上で識別可能な場合には、追加対象である写真のみを「日付入り」の設定に変更することができる。
【００８２】
また、上記実施形態では、各設定項目の初期設定を、用紙サイズを「フォト用紙Ｌ」、カラーモードを「カラー」、ちょっと小さめを「オン」とする例について説明したが、本発明はこれに限定されるものではなく、画像選択部３１により選択された画像のファイル名の拡張子等に基づいて、用紙サイズ、カラーモード等の画像の出力に関する設定項目を初期設定するようにしてもよい。
【００８３】
具体的には、選択された画像のファイル名の拡張子が文書データのようにフォト用紙に出力できないＪＰＥＧ、ＰＮＧ以外の場合には、初期設定の用紙サイズを「普通紙Ａ４」、カラーモードを「白黒」にしたり、「フォト用紙Ｌ」を変更選択画面に表示されないように制御するようにしてもよい。
【００８４】
以上、本発明の実施形態について具体的に説明した。しかしながら、本発明は上述の実施形態に限定されるものではなく、その要旨を逸脱しない範囲で種々変更可能である。
【符号の説明】
【００８５】
１０    端末装置
１２    画像形成装置
１４    無線ＬＡＮターミナル
１６    ネットプリントサーバ
１８    インターネット
３０    制御部
３１    画像選択受付部
３２    変更受付部
３３    データ送受信部
３４    表示部
３５    撮像部
３６    データ格納部
【図１】
2020047185.tif 000003
【図２】
2020047185.tif 000004
【図３】
2020047185.tif 000005
【図４】
2020047185.tif 000006
【図５】
2020047185.tif 000007
【図６】
2020047185.tif 000008
【図７】
2020047185.tif 000009
【図８】
2020047185.tif 000010
【図９】
2020047185.tif 000011
【図１０】
2020047185.tif 000012
【図１１】
2020047185.tif 000013